(57)【要約】【課題】電話着信者のプレゼンスに応じた呼出音を発信側電話端末に送信する。【解決手段】着信側端末１は、ユーザから設定されたプレゼンスとプレゼンス毎のプレゼンス対応呼出音とを呼出音管理装置３に送信し登録要求する手段を有し、電話交換機４は、発信側端末２から着信側端末１への発呼時に、着信側ユーザのプレゼンス対応の呼出音データを呼出音管理装置３に要求し受信する手段と、受信した呼出音データを発信側端末２に送信する手段とを有し、呼出音管理装置３は、呼出音データが予め登録された呼出音データベース３２３と、着信側端末１から受信したプレゼンスとプレゼンス対応呼出音を登録する手段と、電話交換機４から要求を受けて着信側ユーザのプレゼンスに対応する呼出音を検索し取得する手段と、取得した呼出音の呼出音データを呼出音データベース３２３から取得して電話交換機４に送信する手段とを有する。【選択図】      図１
2005277450.tif 000002
【特許請求の範囲】
【請求項１】
発信側端末と、着信側端末と、前記発信側端末と前記着信側端末を接続する電話交換機と、呼出音管理装置と、前記呼出音管理装置と前記電話交換機，前記着信側端末とを接続するネットワークと、を備えたプレゼンス情報に応じた呼出音提供システムであって、
前記着信側端末は、ユーザから設定されたプレゼンスとプレゼンス毎のプレゼンス対応呼出音とを前記呼出音管理装置に送信し登録要求する手段を有し、
前記電話交換機は、前記発信側端末から前記着信側端末への発呼時に、前記着信側ユーザのプレゼンス対応の呼出音データを前記呼出音管理装置に要求し受信する手段と、受信した呼出音データを前記発信側端末に送信する手段とを有し、
前記呼出音管理装置は、呼出音データが予め登録されたデータベースと、前記着信側端末から受信したプレゼンスとプレゼンス対応呼出音を登録する手段と、前記電話交換機から要求を受けて前記着信側ユーザのプレゼンスに対応する呼出音を検索し取得する手段と、取得した呼出音の呼出音データを前記データベースから取得して前記電話交換機に送信する手段とを有することを特徴とするプレゼンス情報に応じた呼出音提供システム。
【請求項２】
発信側端末と、着信側端末と、前記発信側端末と前記着信側端末を接続する電話交換機と、呼出音管理装置と、前記呼出音管理装置と前記電話交換機，前記着信側端末とを接続するネットワークと、を備えたプレゼンス情報に応じた呼出音提供システムであって、
前記着信側端末は、ユーザから設定されたプレゼンスとプレゼンス毎のプレゼンス対応呼出音とを前記呼出音管理装置に送信し登録要求する手段を有し、
前記電話交換機は、前記発信側端末から前記着信側端末への発呼時に、前記着信側ユーザのプレゼンス対応の呼出音データを前記呼出音管理装置に要求し受信する手段と、受信した呼出音データを前記発信側端末に送信する手段とを有し、
前記呼出音管理装置は、呼出音データが予め登録されたデータベースと、前記着信側端末から受信したプレゼンスとプレゼンス対応呼出音を登録する第１の登録手段と、前記第１の登録手段への登録が終了したときに、前記第１の登録手段を参照し登録されたプレゼンスに対応するプレゼンス対応呼出音を検索，取得し、取得したプレゼンス対応呼出音を前記着信側端末に対応付けて登録する第２の登録手段と、前記電話交換機から要求を受けて前記着信側ユーザのプレゼンスに対応する呼出音を前記第２の登録手段から取得する手段と、取得した呼出音の呼出音データを前記データベースから取得して前記電話交換機に送信する手段とを有することを特徴とするプレゼンス情報に応じた呼出音提供システム。
【請求項３】
発信側端末と、着信側端末と、前記発信側端末と前記着信側端末を接続する電話交換機と、呼出音管理装置と、前記呼出音管理装置と前記電話交換機，前記着信側端末とを接続するネットワークと、を備えたプレゼンス情報に応じた呼出音提供システムであって、
前記着信側端末は、着信側ユーザのプレゼンスとプレゼンス毎のプレゼンス対応呼出音とをユーザから設定されて記憶する手段と、前記設定，記憶が終了したときに、記憶されたプレゼンスに対応するプレゼンス対応呼出音を検索，取得する手段と、取得したプレゼンス対応呼出音を前記呼出音管理装置に送信し登録要求する手段とを有し、
前記電話交換機は、前記発信側端末から前記着信側端末への発呼時に、前記着信側ユーザのプレゼンス対応の呼出音データを前記呼出音管理装置に要求し受信する手段と、受信した呼出音データを前記発信側端末に送信する手段とを有し、
前記呼出音管理装置は、呼出音データが予め登録されたデータベースと、前記着信側端末から受信した呼出音を登録する手段と、前記電話交換機から要求を受けて前記着信側ユーザ対応に登録された呼出音を取得する手段と、取得した呼出音の呼出音データを前記データベースから取得して前記電話交換機に送信する手段とを有することを特徴とするプレゼンス情報に応じた呼出音提供システム。
【請求項４】
発信側端末と、着信側端末と、前記発信側端末と前記着信側端末を接続する電話交換機と、呼出音管理装置と、前記呼出音管理装置と前記電話交換機，前記着信側端末とを接続するネットワークと、を備えたプレゼンス情報に応じた呼出音提供システムであって、
前記発信側端末は、前記電話交換機を介して前記着信側端末に発呼する手段と、前記電話交換機から呼出音データを受信して表示する手段とを有し、
前記着信側端末は、前記呼出音管理装置にアクセスし、プレゼンスとプレゼンス番号とを対応付けたプレゼンス一覧と、プレゼンス，プレゼンス番号，プレゼンス対応呼出音の種類，呼出音データ番号を対応付けたプレゼンス対応呼出音一覧とを前記呼出音管理装置から受信して表示する手段と、前記プレゼンス一覧においてユーザから選択されたプレゼンス番号と、前記プレゼンス対応呼出音一覧においてユーザから選択されたプレゼンス番号，呼出音データ番号の組み合わせ情報とに、自端末の電話番号を付加して送信する手段とを有し、
前記電話交換機は、
前記発信側端末から前記着信側端末への発呼があった場合に、前記着信側端末ユーザのプレゼンスが登録されているかを、前記呼出音管理装置に前記着信側端末の電話番号を送信して問い合わせる手段と、
前記呼出音管理装置から前記着信側端末ユーザのプレゼンス登録有りの回答を受信した場合に、前記プレゼンス対応の呼出音データを前記呼出音管理装置に要求する手段と、
前記呼出音管理装置から前記前記着信側端末ユーザのプレゼンス対応の呼出音データを受信し、前記発信側端末に送信する手段とを有し、
前記呼出音管理装置は、
前記着信側端末からアクセスがあったときに、前記プレゼンス一覧と前記プレゼンス対応呼出音一覧とを前記着信側端末に送信する手段と、
前記着信側端末から送信されたプレゼンス番号を前記着信側端末の電話番号に対応付けて登録する第１の登録手段と、
前記着信側端末から送信されたプレゼンス対応呼出音の呼出音データ番号をプレゼンス番号，前記着信側端末の電話番号と対応付けて登録する第２の登録手段と、
呼出音データを呼出音データ番号に対応付けて予め登録した呼出音データベースと、
前記電話交換機から前記着信側端末ユーザのプレゼンス登録有無問い合わせを受けた場合に、前記第１の登録手段を参照し回答する手段と、
前記電話交換機から前記着信側端末ユーザ対応の呼出音データの要求を受けた場合に、前記第１の登録手段に登録された着信側端末対応のプレゼンス番号を取得し、取得したプレゼンス番号対応の呼出音データ番号を前記第２の登録手段から取得し、取得した呼出音データ番号に対応した呼出音データを前記呼出音データベースから取得して前記電話交換機に送信する手段とを有することを特徴とするプレゼンス情報に応じた呼出音提供システム。
【請求項５】
発信側端末と、着信側端末と、前記発信側端末と前記着信側端末を接続する電話交換機と、呼出音管理装置と、前記呼出音管理装置と前記電話交換機，前記着信側端末とを接続するネットワークと、を備えたプレゼンス情報に応じた呼出音提供システムであって、
前記発信側端末は、前記電話交換機を介して前記着信側端末に発呼する手段と、前記電話交換機から呼出音データを受信して表示する手段とを有し、
前記着信側端末は、前記呼出音管理装置にアクセスし、プレゼンスとプレゼンス番号とを対応付けたプレゼンス一覧と、プレゼンス対応呼出音の種類と呼出音データ番号とを対応付けたプレゼンス対応呼出音一覧とを前記呼出音管理装置から受信して表示する手段と、前記プレゼンス一覧においてユーザから選択されたプレゼンス番号と、前記プレゼンス対応呼出音一覧においてユーザから選択されたプレゼンス番号，呼出音データ番号の組み合わせ情報とに、自端末の電話番号を付加して送信する手段とを有し、
前記電話交換機は、
前記発信側端末から前記着信側端末への発呼があった場合に、前記着信側端末ユーザのプレゼンスが登録されているかを、前記呼出音管理装置に前記着信側端末の電話番号を送信して問い合わせる手段と、
前記呼出音管理装置から前記着信側端末ユーザのプレゼンス登録有りの回答を受信した場合に、前記プレゼンス対応の呼出音データを前記呼出音管理装置に要求する手段と、
前記呼出音管理装置から前記着信側端末ユーザのプレゼンス対応の呼出音データを受信し、前記発信側端末に送信する手段とを有し、
前記呼出音管理装置は、
前記着信側端末からアクセスがあったときに、前記プレゼンス一覧と前記プレゼンス対応呼出音一覧とを前記着信側端末に送信する手段と、
前記着信側端末から送信されたプレゼンス番号を前記着信側端末の電話番号に対応付けて登録する第１の登録手段と、
前記着信側端末から送信されたプレゼンス対応呼出音の呼出音データ番号をプレゼンス番号，前記着信側端末の電話番号と対応付けて登録する第２の登録手段と、
前記第１の登録手段に登録された前記着信側端末対応のプレゼンス番号を取得し、取得したプレゼンス番号対応の呼出音データ番号を前記第２の登録手段から取得し、取得した呼出音データ番号を前記着信側端末の電話番号と対応付けて登録する第３の登録手段と、
呼出音データを呼出音データ番号に対応付けて予め登録した呼出音データベースと、
前記電話交換機から前記着信側端末ユーザのプレゼンス登録有無問い合わせを受けた場合に、前記第１の登録手段を参照し回答する手段と、
前記電話交換機から前記着信側端末ユーザ対応の呼出音データの要求を受けた場合に、前記第３の登録手段から呼出音データ番号を取得し、取得した呼出音データ番号に対応した呼出音データを前記呼出音データベースから取得して前記電話交換機に送信する手段とを有することを特徴とするプレゼンス情報に応じた呼出音提供システム。
【請求項６】
発信側端末と、着信側端末と、前記発信側端末と前記着信側端末を接続する電話交換機と、呼出音管理装置と、前記呼出音管理装置と前記電話交換機，前記着信側端末とを接続するネットワークと、を備えたプレゼンス情報に応じた呼出音提供システムであって、
前記発信側端末は、前記電話交換機を介して前記着信側端末に発呼する手段と、前記電話交換機から呼出音データを受信して表示する手段とを有し、
前記着信側端末は、
プレゼンスとプレゼンス番号とを対応付けたプレゼンス一覧と、プレゼンス対応呼出音の種類と呼出音データ番号とを対応付けたプレゼンス対応呼出音一覧とを予め登録する第１の登録手段と、
ユーザが呼出音登録起動操作を行ったときに、前記プレゼンス一覧と前記プレゼンス対応呼出音一覧とを前記第１の登録手段から読み出して表示する手段と、
ユーザから選択されたプレゼンスのプレゼンス番号を登録する第２の登録手段と、
ユーザからプレゼンス毎に選択された呼出音の呼出音データ番号をプレゼンス番号に対応付けて登録する第３の登録手段と、
前記プレゼンス番号または前記呼出音データ番号が登録された場合に、前記第２の登録手段からプレゼンス番号を取得し、取得したプレゼンス番号対応の呼出音データ番号を前記第３の登録手段から取得し、取得した呼出音データ番号に自端末の電話番号を付加して前記呼出音管理装置に送信する手段とを有し、
前記電話交換機は、
前記発信側端末から前記着信側端末への発呼があった場合に、前記着信側端末ユーザ対応の呼出音が登録されているかを、前記呼出音管理装置に前記着信側端末の電話番号を送信して問い合わせる手段と、
前記呼出音管理装置から前記着信側端末ユーザ対応の呼出音登録有りの回答を受信した場合に、該当する呼出音データを前記呼出音管理装置に要求する手段と、
前記呼出音管理装置から前記着信側端末ユーザ対応の呼出音データを受信し、前記発信側端末に送信する手段とを有し、
前記呼出音管理装置は、
前記着信側端末から送信された呼出音データ番号と電話番号とを対応付けて登録する第４の登録手段と、
呼出音データを呼出音データ番号に対応付けて予め登録した呼出音データベースと、
前記電話交換機から前記着信側端末ユーザの呼出音登録有無問い合わせを受けた場合に、前記第４の登録手段を参照し回答する手段と、
前記電話交換機から前記着信側端末ユーザ対応の呼出音データの要求を受けた場合に、前記第４の登録手段から呼出音データ番号を取得し、取得した呼出音データ番号に対応した呼出音データを前記呼出音データベースから取得して前記電話交換機に送信する手段とを有することを特徴とするプレゼンス情報に応じた呼出音提供システム。
【請求項７】
前記呼出音データは、音データ，テキストデータまたは画像データであることを特徴とする請求項１〜６のいずれか１項記載のプレゼンス情報に応じた呼出音提供システム。
【請求項８】
プレゼンスとプレゼンス番号とを対応付けたプレゼンス一覧と、プレゼンス対応呼出音の種類と呼出音データ番号とを対応付けたプレゼンス対応呼出音一覧とを予め登録する第１の登録手段と、
ユーザが呼出音登録起動操作を行ったときに、前記プレゼンス一覧と前記プレゼンス対応呼出音一覧とを前記第１の登録手段から読み出して表示する手段と、
ユーザから選択されたプレゼンスのプレゼンス番号を登録する第２の登録手段と、
ユーザからプレゼンス毎に選択された呼出音の呼出音データ番号をプレゼンス番号に対応付けて登録する第３の登録手段と、
前記プレゼンス番号または前記呼出音データ番号が登録された場合に、前記第２の登録手段からプレゼンス番号を取得し、取得したプレゼンス番号対応の呼出音データ番号を前記第３の登録手段から取得し、取得した呼出音データ番号に電話番号を付加して外部装置に送信する手段とを有することを特徴とする端末装置。
【請求項９】
電話交換機と着信側端末にネットワークを介して接続される呼出音管理装置であって、
前記着信側端末からアクセスがあったときに、利用可能なプレゼンスとプレゼンス番号とを対応付けたプレゼンス一覧と、プレゼンス，プレゼンス番号，プレゼンス対応呼出音の種類，呼出音データ番号を対応付けたプレゼンス対応呼出音一覧とを前記着信側端末に送信する手段と、
前記着信側端末から送信されたプレゼンス番号，前記着信側端末の電話番号を対応付けて登録する第１の登録手段と、
前記着信側端末から送信されたプレゼンス対応呼出音の呼出音データ番号，プレゼンス番号，前記着信側端末の電話番号を対応付けて登録する第２の登録手段と、
呼出音データを呼出音データ番号に対応付けて予め登録した呼出音データベースと、
前記電話交換機から前記着信側端末ユーザのプレゼンス登録有無問い合わせを受けた場合に、前記第１の登録手段を参照し回答する手段と、
前記電話交換機から前記着信側端末ユーザ対応の呼出音データの要求を受けた場合に、前記第１の登録手段に登録された前記着信側端末対応のプレゼンス番号を取得し、取得したプレゼンス番号対応の呼出音データ番号を前記第２の登録手段から取得し、取得した呼出音データ番号に対応した呼出音データを前記呼出音データベースから取得して前記電話交換機に送信する手段とを有することを特徴とする呼出音管理装置。
【請求項１０】
電話交換機と着信側端末にネットワークを介して接続される呼出音管理装置であって、
前記着信側端末からアクセスがあったときに、利用可能なプレゼンスとプレゼンス番号とを対応付けたプレゼンス一覧と、プレゼンス，プレゼンス番号，プレゼンス対応呼出音の種類，呼出音データ番号を対応付けたプレゼンス対応呼出音一覧とを前記着信側端末に送信する手段と、
前記着信側端末から送信されたプレゼンス番号，前記着信側端末の電話番号を対応付けて登録する第１の登録手段と、
前記着信側端末から送信されたプレゼンス対応呼出音の呼出音データ番号，プレゼンス番号，前記着信側端末の電話番号を対応付けて登録する第２の登録手段と、
前記プレゼンス番号または前記呼出音データ番号が登録された場合に、前記第１の登録手段に登録された前記着信側端末対応のプレゼンス番号を取得し、取得したプレゼンス番号対応の呼出音データ番号を前記第２の登録手段から取得し、取得した呼出音データ番号を前記着信側端末の電話番号と対応付けて登録する第３の登録手段と、
呼出音データを呼出音データ番号に対応付けて予め登録した呼出音データベースと、
前記電話交換機から前記着信側端末ユーザのプレゼンス登録有無問い合わせを受けた場合に、前記第１の登録手段を参照し回答する手段と、
前記電話交換機から前記着信側端末ユーザ対応の呼出音データの要求を受けた場合に、前記第３の登録手段から呼出音データ番号を取得し、取得した呼出音データ番号に対応した呼出音データを前記呼出音データベースから取得して前記電話交換機に送信する手段とを有することを特徴とする呼出音管理装置。
【請求項１１】
電話交換機と着信側端末にネットワークを介して接続される呼出音管理装置であって、
前記着信側端末から送信された呼出音データ番号と電話番号とを対応付けて登録する登録手段と、
呼出音データを呼出音データ番号に対応付けて予め登録した呼出音データベースと、
前記電話交換機から前記着信側端末ユーザの呼出音登録有無問い合わせを受けた場合に、前記登録手段を参照し回答する手段と、
前記電話交換機から前記着信側端末ユーザ対応の呼出音データの要求を受けた場合に、前記登録手段から呼出音データ番号を取得し、取得した呼出音データ番号に対応した呼出音データを前記呼出音データベースから取得して前記電話交換機に送信する手段とを有することを特徴とする呼出音管理装置。
【請求項１２】
発信側端末と、着信側端末と、電話交換機と、呼出音管理装置と、前記呼出音管理装置と前記電話交換機，前記着信側端末とを接続するネットワークと、を用いたプレゼンス情報に応じた呼出音提供方法であって、
前記着信側端末がユーザから設定されたプレゼンスとプレゼンス毎のプレゼンス対応呼出音とを前記呼出音管理装置に送信し登録要求するステップと、前記呼出音管理装置が前記着信側端末から受信したプレゼンスとプレゼンス対応呼出音を登録するステップと、前記発信側端末から前記着信側端末への発呼時に、前記電話交換機が前記着信側ユーザのプレゼンス対応の呼出音データを前記呼出音管理装置に要求するステップと、前記呼出音管理装置が前記電話交換機からの要求を受けて前記着信側ユーザのプレゼンスに対応する呼出音を検索，取得するステップと、前記呼出音管理装置が取得した呼出音の呼出音データをデータベースから取得して前記電話交換機に送信するステップと、前記電話交換機が受信した呼出音データを前記発信側端末に送信するステップとを有することを特徴とするプレゼンス情報に応じた呼出音提供方法。
【請求項１３】
発信側端末と、着信側端末と、電話交換機と、呼出音管理装置と、前記呼出音管理装置と前記電話交換機，前記着信側端末とを接続するネットワークと、を用いたプレゼンス情報に応じた呼出音提供方法であって、
前記着信側端末がユーザから設定されたプレゼンスとプレゼンス毎のプレゼンス対応呼出音とを前記呼出音管理装置に送信し登録要求するステップと、前記呼出音管理装置が前記着信側端末から受信したプレゼンスとプレゼンス対応呼出音を第１の記憶部に登録するステップと、前記第１の記憶部への登録が終了したときに、前記第１の記憶部を参照し登録されたプレゼンスに対応するプレゼンス対応呼出音を検索，取得し、取得したプレゼンス対応呼出音を前記着信側端末に対応付けて第２の記憶部に登録するステップと、前記発信側端末から前記着信側端末への発呼時に、前記電話交換機が前記着信側ユーザのプレゼンス対応の呼出音データを前記呼出音管理装置に要求するステップと、前記呼出音管理装置が前記電話交換機から要求を受けて前記着信側ユーザのプレゼンスに対応する呼出音を前記第２の記憶部から取得するステップと、取得した呼出音の呼出音データを前記呼出音管理装置がデータベースから取得して前記電話交換機に送信するステップと、前記電話交換機が受信した呼出音データを前記発信側端末に送信するステップとを有することを特徴とするプレゼンス情報に応じた呼出音提供方法。
【請求項１４】
発信側端末と、着信側端末と、電話交換機と、呼出音管理装置と、前記呼出音管理装置と前記電話交換機，前記着信側端末と、を接続するネットワークとを用いたプレゼンス情報に応じた呼出音提供方法であって、
前記着信側端末がユーザから設定されたプレゼンスとプレゼンス毎のプレゼンス対応呼出音とを記憶するステップと、前記設定，記憶が終了したときに、前記着信側端末が記憶されたプレゼンスに対応するプレゼンス対応呼出音を検索，取得するステップと、取得したプレゼンス対応呼出音を前記着信側端末が前記呼出音管理装置に送信して登録要求するステップと、前記呼出音管理装置が前記着信側端末から受信した呼出音を登録するステップと、前記発信側端末から前記着信側端末への発呼時に、前記電話交換機が前記着信側ユーザのプレゼンス対応の呼出音データを前記呼出音管理装置に要求するステップと、前記呼出音管理装置が前記電話交換機からの要求を受けて前記着信側ユーザのプレゼンス対応に登録された呼出音を取得するステップと、前記呼出音管理装置が取得した呼出音の呼出音データをデータベースから取得して前記電話交換機に送信するステップと、前記電話交換機が受信した呼出音データを前記発信側端末に送信するステップとを有することを特徴とするプレゼンス情報に応じた呼出音提供方法。
【請求項１５】
プレゼンスとプレゼンス番号とを対応付けたプレゼンス一覧と、プレゼンス，プレゼンス番号，プレゼンス対応呼出音の種類，呼出音データ番号を対応付けたプレゼンス対応呼出音一覧とを予め登録する第１の登録機能、ユーザが呼出音登録起動操作を行ったときに、前記プレゼンス一覧と前記プレゼンス対応呼出音一覧とを前記第１の登録手段から読み出して表示する機能、ユーザから選択されたプレゼンスのプレゼンス番号を登録する第２の登録機能、ユーザからプレゼンス毎に選択された呼出音の呼出音データ番号をプレゼンス番号に対応付けて登録する第３の登録機能、前記プレゼンス番号または前記呼出音データ番号が登録された場合に、前記第２の登録機能からプレゼンス番号を取得し、取得したプレゼンス番号対応の呼出音データ番号を前記第３の登録機能から取得し、取得した呼出音データ番号に電話番号を付加して外部装置に送信する機能、をコンピュータに実現させるためのプログラム。
【請求項１６】
外部端末からアクセスがあったときに、利用可能なプレゼンスとプレゼンス番号とを対応付けたプレゼンス一覧と、プレゼンス，プレゼンス番号，プレゼンス対応呼出音の種類，呼出音データ番号を対応付けたプレゼンス対応呼出音一覧とを前記外部端末に送信する機能、前記外部端末から送信されたプレゼンス番号，電話番号を対応付けて登録する第１の登録機能、前記外部端末から送信されたプレゼンス対応呼出音の呼出音データ番号，プレゼンス番号，前記外部端末の電話番号を対応付けて登録する第２の登録機能、外部装置から前記外部端末ユーザのプレゼンス登録有無問い合わせを受けた場合に、前記第１の登録機能を参照し回答する機能、前記外部装置から前記外部端末ユーザ対応の呼出音データの要求を受けた場合に、前記第１の登録機能からプレゼンス番号を取得し、取得したプレゼンス番号対応の呼出音データ番号を前記第２の登録機能から取得し、取得した呼出音データ番号に対応した呼出音データをデータベースから取得して前記外部装置に送信する機能、をコンピュータに実現させるためのプログラム。
【請求項１７】
外部端末からアクセスがあったときに、利用可能なプレゼンスとプレゼンス番号とを対応付けたプレゼンス一覧と、プレゼンス，プレゼンス番号，プレゼンス対応呼出音の種類，呼出音データ番号を対応付けたプレゼンス対応呼出音一覧とを前記外部端末に送信する機能、前記外部端末から送信されたプレゼンス番号，電話番号を対応付けて登録する第１の登録機能、前記外部端末から送信されたプレゼンス対応呼出音の呼出音データ番号，プレゼンス番号，前記外部端末の電話番号を対応付けて登録する第２の登録機能、前記第１の登録機能から前記外部端末電話番号対応のプレゼンス番号を取得し、取得したプレゼンス番号対応の呼出音データ番号を前記第２の登録機能から取得し、取得した呼出音データ番号を前記外部端末の電話番号と対応付けて登録する第３の登録機能、外部装置から前記外部端末ユーザのプレゼンス登録有無問い合わせを受けた場合に、前記第１の登録機能を参照し回答する機能、前記外部装置から前記外部端末ユーザ対応の呼出音データの要求を受けた場合に、前記第３の登録機能から呼出音データ番号を取得し、取得した呼出音データ番号に対応した呼出音データをデータベースから取得して前記外部装置に送信する機能、をコンピュータに実現させるためのプログラム。
【請求項１８】
外部端末から送信された呼出音データ番号と電話番号とを対応付けて登録する登録機能、外部装置から前記外部端末ユーザの呼出音登録有無問い合わせを受けた場合に、前記登録機能を参照し回答する機能、前記外部装置から前記外部端末ユーザ対応の呼出音データの要求を受けた場合に、前記登録機能から呼出音データ番号を取得し、取得した呼出音データ番号に対応した呼出音データをデータベースから取得して前記外部装置に送信する機能、をコンピュータに実現させるためのプログラム。
【発明の詳細な説明】
【技術分野】
【０００１】
本発明は、電話で相手を呼び出し中に発信者に対して送信される呼出音（Ring Back Tone）の提供に関し、特に着信側ユーザの状況を考慮した、プレゼンス情報に応じた呼出音提供システム，方法，端末装置，呼出音管理装置およびプログラムに関する。
【背景技術】
【０００２】
従来の呼出音提供サービスの例としては、例えば、特開２００３−２７４０１６号公報（特許文献１）に記載された発明がある。この特許文献１においては、着信側端末から発信者全員または発信者別に予めメロディを設定しておき、着信時に、発信側端末に対して設定されたメロディを呼出音として送信している。
【０００３】
【特許文献１】特開２００３−２７４０１６号公報（段落「００２２」〜「００２４」、「００２７」〜「００２８」、「００３２」、図１、図２）
【発明の開示】
【発明が解決しようとする課題】
【０００４】
上述した特許文献１に記載の発明においては、着信者は音楽データベースから希望のメロディを選択し呼出音として設定してはいるが、着信者のプレゼンスに応じて呼出音を設定し提供することは考慮されていない。ここで、プレゼンスとは、睡眠中，仕事中，電車内等の、電話端末ユーザの現在の状況を意味している。従って、特許文献１に記載の発明においては、電話端末ユーザのプレゼンスに応じた呼出音設定ができないため、発信者は呼出音を聞いても着信者の現在の状況を知ることができないという問題がある。例えば、発信者が睡眠中の相手に電話をかけた場合に、相手が睡眠中であることを呼出音から認識できないため、相手を呼び続けることになる。
【０００５】
本発明は、以上の問題を解決するプレゼンス情報に応じた呼出音提供システム，方法，端末装置，呼出音管理装置およびプログラムを提供することを目的とする。
【課題を解決するための手段】
【０００６】
本発明の第１のプレゼンス情報に応じた呼出音提供システムは、発信側端末と、着信側端末と、前記発信側端末と前記着信側端末を接続する電話交換機と、呼出音管理装置と、前記呼出音管理装置と前記電話交換機，前記着信側端末とを接続するネットワークと、を備えたプレゼンス情報に応じた呼出音提供システムであって、
前記着信側端末は、ユーザから設定されたプレゼンスとプレゼンス毎のプレゼンス対応呼出音とを前記呼出音管理装置に送信し登録要求する手段を有し、
前記電話交換機は、前記発信側端末から前記着信側端末への発呼時に、前記着信側ユーザのプレゼンス対応の呼出音データを前記呼出音管理装置に要求し受信する手段と、受信した呼出音データを前記発信側端末に送信する手段とを有し、
前記呼出音管理装置は、呼出音データが予め登録されたデータベースと、前記着信側端末から受信したプレゼンスとプレゼンス対応呼出音を登録する手段と、前記電話交換機から要求を受けて前記着信側ユーザのプレゼンスに対応する呼出音を検索し取得する手段と、取得した呼出音の呼出音データを前記データベースから取得して前記電話交換機に送信する手段とを有する。
【０００７】
本発明の第２のプレゼンス情報に応じた呼出音提供システムは、発信側端末と、着信側端末と、前記発信側端末と前記着信側端末を接続する電話交換機と、呼出音管理装置と、前記呼出音管理装置と前記電話交換機，前記着信側端末とを接続するネットワークと、を備えたプレゼンス情報に応じた呼出音提供システムであって、
前記着信側端末は、ユーザから設定されたプレゼンスとプレゼンス毎のプレゼンス対応呼出音とを前記呼出音管理装置に送信し登録要求する手段を有し、
前記電話交換機は、前記発信側端末から前記着信側端末への発呼時に、前記着信側ユーザのプレゼンス対応の呼出音データを前記呼出音管理装置に要求し受信する手段と、受信した呼出音データを前記発信側端末に送信する手段とを有し、
前記呼出音管理装置は、呼出音データが予め登録されたデータベースと、前記着信側端末から受信したプレゼンスとプレゼンス対応呼出音を登録する第１の登録手段と、前記第１の登録手段への登録が終了したときに、前記第１の登録手段を参照し登録されたプレゼンスに対応するプレゼンス対応呼出音を検索，取得し、取得したプレゼンス対応呼出音を前記着信側端末に対応付けて登録する第２の登録手段と、前記電話交換機から要求を受けて前記着信側ユーザのプレゼンスに対応する呼出音を前記第２の登録手段から取得する手段と、取得した呼出音の呼出音データを前記データベースから取得して前記電話交換機に送信する手段とを有する。
【０００８】
本発明の第３のプレゼンス情報に応じた呼出音提供システムは、発信側端末と、着信側端末と、前記発信側端末と前記着信側端末を接続する電話交換機と、呼出音管理装置と、前記呼出音管理装置と前記電話交換機，前記着信側端末とを接続するネットワークと、を備えたプレゼンス情報に応じた呼出音提供システムであって、
前記着信側端末は、着信側ユーザのプレゼンスとプレゼンス毎のプレゼンス対応呼出音とをユーザから設定されて記憶する手段と、前記設定，記憶が終了したときに、記憶されたプレゼンスに対応するプレゼンス対応呼出音を検索，取得する手段と、取得したプレゼンス対応呼出音を前記呼出音管理装置に送信し登録要求する手段とを有し、
前記電話交換機は、前記発信側端末から前記着信側端末への発呼時に、前記着信側ユーザのプレゼンス対応の呼出音データを前記呼出音管理装置に要求し受信する手段と、受信した呼出音データを前記発信側端末に送信する手段とを有し、
前記呼出音管理装置は、呼出音データが予め登録されたデータベースと、前記着信側端末から受信した呼出音を登録する手段と、前記電話交換機から要求を受けて前記着信側ユーザ対応に登録された呼出音を取得する手段と、取得した呼出音の呼出音データを前記データベースから取得して前記電話交換機に送信する手段とを有する。
【０００９】
本発明の第４のプレゼンス情報に応じた呼出音提供システムは、発信側端末と、着信側端末と、前記発信側端末と前記着信側端末を接続する電話交換機と、呼出音管理装置と、前記呼出音管理装置と前記電話交換機，前記着信側端末とを接続するネットワークと、を備えたプレゼンス情報に応じた呼出音提供システムであって、
前記発信側端末は、前記電話交換機を介して前記着信側端末に発呼する手段と、前記電話交換機から呼出音データを受信して表示する手段とを有し、
前記着信側端末は、前記呼出音管理装置にアクセスし、プレゼンスとプレゼンス番号とを対応付けたプレゼンス一覧と、プレゼンス，プレゼンス番号，プレゼンス対応呼出音の種類，呼出音データ番号を対応付けたプレゼンス対応呼出音一覧とを前記呼出音管理装置から受信して表示する手段と、前記プレゼンス一覧においてユーザから選択されたプレゼンス番号と、前記プレゼンス対応呼出音一覧においてユーザから選択されたプレゼンス番号，呼出音データ番号の組み合わせ情報とに、自端末の電話番号を付加して送信する手段とを有し、
前記電話交換機は、
前記発信側端末から前記着信側端末への発呼があった場合に、前記着信側端末ユーザのプレゼンスが登録されているかを、前記呼出音管理装置に前記着信側端末の電話番号を送信して問い合わせる手段と、
前記呼出音管理装置から前記着信側端末ユーザのプレゼンス登録有りの回答を受信した場合に、前記プレゼンス対応の呼出音データを前記呼出音管理装置に要求する手段と、
前記呼出音管理装置から前記前記着信側端末ユーザのプレゼンス対応の呼出音データを受信し、前記発信側端末に送信する手段とを有し、
前記呼出音管理装置は、
前記着信側端末からアクセスがあったときに、前記プレゼンス一覧と前記プレゼンス対応呼出音一覧とを前記着信側端末に送信する手段と、
前記着信側端末から送信されたプレゼンス番号を前記着信側端末の電話番号に対応付けて登録する第１の登録手段と、
前記着信側端末から送信されたプレゼンス対応呼出音の呼出音データ番号をプレゼンス番号，前記着信側端末の電話番号と対応付けて登録する第２の登録手段と、
呼出音データを呼出音データ番号に対応付けて予め登録した呼出音データベースと、
前記電話交換機から前記着信側端末ユーザのプレゼンス登録有無問い合わせを受けた場合に、前記第１の登録手段を参照し回答する手段と、
前記電話交換機から前記着信側端末ユーザ対応の呼出音データの要求を受けた場合に、前記第１の登録手段に登録された着信側端末対応のプレゼンス番号を取得し、取得したプレゼンス番号対応の呼出音データ番号を前記第２の登録手段から取得し、取得した呼出音データ番号に対応した呼出音データを前記呼出音データベースから取得して前記電話交換機に送信する手段とを有する。
【００１０】
本発明の第５のプレゼンス情報に応じた呼出音提供システムは、発信側端末と、着信側端末と、前記発信側端末と前記着信側端末を接続する電話交換機と、呼出音管理装置と、前記呼出音管理装置と前記電話交換機，前記着信側端末とを接続するネットワークと、を備えたプレゼンス情報に応じた呼出音提供システムであって、
前記発信側端末は、前記電話交換機を介して前記着信側端末に発呼する手段と、前記電話交換機から呼出音データを受信して表示する手段とを有し、
前記着信側端末は、前記呼出音管理装置にアクセスし、プレゼンスとプレゼンス番号とを対応付けたプレゼンス一覧と、プレゼンス対応呼出音の種類と呼出音データ番号とを対応付けたプレゼンス対応呼出音一覧とを前記呼出音管理装置から受信して表示する手段と、前記プレゼンス一覧においてユーザから選択されたプレゼンス番号と、前記プレゼンス対応呼出音一覧においてユーザから選択されたプレゼンス番号，呼出音データ番号の組み合わせ情報とに、自端末の電話番号を付加して送信する手段とを有し、
前記電話交換機は、
前記発信側端末から前記着信側端末への発呼があった場合に、前記着信側端末ユーザのプレゼンスが登録されているかを、前記呼出音管理装置に前記着信側端末の電話番号を送信して問い合わせる手段と、
前記呼出音管理装置から前記着信側端末ユーザのプレゼンス登録有りの回答を受信した場合に、前記プレゼンス対応の呼出音データを前記呼出音管理装置に要求する手段と、
前記呼出音管理装置から前記着信側端末ユーザのプレゼンス対応の呼出音データを受信し、前記発信側端末に送信する手段とを有し、
前記呼出音管理装置は、
前記着信側端末からアクセスがあったときに、前記プレゼンス一覧と前記プレゼンス対応呼出音一覧とを前記着信側端末に送信する手段と、
前記着信側端末から送信されたプレゼンス番号を前記着信側端末の電話番号に対応付けて登録する第１の登録手段と、
前記着信側端末から送信されたプレゼンス対応呼出音の呼出音データ番号をプレゼンス番号，前記着信側端末の電話番号と対応付けて登録する第２の登録手段と、
前記第１の登録手段に登録された前記着信側端末対応のプレゼンス番号を取得し、取得したプレゼンス番号対応の呼出音データ番号を前記第２の登録手段から取得し、取得した呼出音データ番号を前記着信側端末の電話番号と対応付けて登録する第３の登録手段と、
呼出音データを呼出音データ番号に対応付けて予め登録した呼出音データベースと、
前記電話交換機から前記着信側端末ユーザのプレゼンス登録有無問い合わせを受けた場合に、前記第１の登録手段を参照し回答する手段と、
前記電話交換機から前記着信側端末ユーザ対応の呼出音データの要求を受けた場合に、前記第３の登録手段から呼出音データ番号を取得し、取得した呼出音データ番号に対応した呼出音データを前記呼出音データベースから取得して前記電話交換機に送信する手段とを有する。
【００１１】
本発明の第６のプレゼンス情報に応じた呼出音提供システムは、発信側端末と、着信側端末と、前記発信側端末と前記着信側端末を接続する電話交換機と、呼出音管理装置と、前記呼出音管理装置と前記電話交換機，前記着信側端末とを接続するネットワークと、を備えたプレゼンス情報に応じた呼出音提供システムであって、
前記発信側端末は、前記電話交換機を介して前記着信側端末に発呼する手段と、前記電話交換機から呼出音データを受信して表示する手段とを有し、
前記着信側端末は、
プレゼンスとプレゼンス番号とを対応付けたプレゼンス一覧と、プレゼンス対応呼出音の種類と呼出音データ番号とを対応付けたプレゼンス対応呼出音一覧とを予め登録する第１の登録手段と、
ユーザが呼出音登録起動操作を行ったときに、前記プレゼンス一覧と前記プレゼンス対応呼出音一覧とを前記第１の登録手段から読み出して表示する手段と、
ユーザから選択されたプレゼンスのプレゼンス番号を登録する第２の登録手段と、
ユーザからプレゼンス毎に選択された呼出音の呼出音データ番号をプレゼンス番号に対応付けて登録する第３の登録手段と、
前記プレゼンス番号または前記呼出音データ番号が登録された場合に、前記第２の登録手段からプレゼンス番号を取得し、取得したプレゼンス番号対応の呼出音データ番号を前記第３の登録手段から取得し、取得した呼出音データ番号に自端末の電話番号を付加して前記呼出音管理装置に送信する手段とを有し、
前記電話交換機は、
前記発信側端末から前記着信側端末への発呼があった場合に、前記着信側端末ユーザ対応の呼出音が登録されているかを、前記呼出音管理装置に前記着信側端末の電話番号を送信して問い合わせる手段と、
前記呼出音管理装置から前記着信側端末ユーザ対応の呼出音登録有りの回答を受信した場合に、該当する呼出音データを前記呼出音管理装置に要求する手段と、
前記呼出音管理装置から前記着信側端末ユーザ対応の呼出音データを受信し、前記発信側端末に送信する手段とを有し、
前記呼出音管理装置は、
前記着信側端末から送信された呼出音データ番号と電話番号とを対応付けて登録する第４の登録手段と、
呼出音データを呼出音データ番号に対応付けて予め登録した呼出音データベースと、
前記電話交換機から前記着信側端末ユーザの呼出音登録有無問い合わせを受けた場合に、前記第４の登録手段を参照し回答する手段と、
前記電話交換機から前記着信側端末ユーザ対応の呼出音データの要求を受けた場合に、前記第４の登録手段から呼出音データ番号を取得し、取得した呼出音データ番号に対応した呼出音データを前記呼出音データベースから取得して前記電話交換機に送信する手段とを有する。
【００１２】
本発明の第７のプレゼンス情報に応じた呼出音提供システムは、本発明の第１〜第６のいずれかのプレゼンス情報に応じた呼出音提供システムにおいて、前記呼出音データは、音データ，テキストデータまたは画像データであることを特徴とする。
【００１３】
本発明の端末装置は、プレゼンスとプレゼンス番号とを対応付けたプレゼンス一覧と、プレゼンス対応呼出音の種類と呼出音データ番号とを対応付けたプレゼンス対応呼出音一覧とを予め登録する第１の登録手段と、
ユーザが呼出音登録起動操作を行ったときに、前記プレゼンス一覧と前記プレゼンス対応呼出音一覧とを前記第１の登録手段から読み出して表示する手段と、
ユーザから選択されたプレゼンスのプレゼンス番号を登録する第２の登録手段と、
ユーザからプレゼンス毎に選択された呼出音の呼出音データ番号をプレゼンス番号に対応付けて登録する第３の登録手段と、
前記プレゼンス番号または前記呼出音データ番号が登録された場合に、前記第２の登録手段からプレゼンス番号を取得し、取得したプレゼンス番号対応の呼出音データ番号を前記第３の登録手段から取得し、取得した呼出音データ番号に電話番号を付加して外部装置に送信する手段とを有する。
【００１４】
本発明の第１の呼出音管理装置は、電話交換機と着信側端末にネットワークを介して接続される呼出音管理装置であって、
前記着信側端末からアクセスがあったときに、利用可能なプレゼンスとプレゼンス番号とを対応付けたプレゼンス一覧と、プレゼンス，プレゼンス番号，プレゼンス対応呼出音の種類，呼出音データ番号を対応付けたプレゼンス対応呼出音一覧とを前記着信側端末に送信する手段と、
前記着信側端末から送信されたプレゼンス番号，前記着信側端末の電話番号を対応付けて登録する第１の登録手段と、
前記着信側端末から送信されたプレゼンス対応呼出音の呼出音データ番号，プレゼンス番号，前記着信側端末の電話番号を対応付けて登録する第２の登録手段と、
呼出音データを呼出音データ番号に対応付けて予め登録した呼出音データベースと、
前記電話交換機から前記着信側端末ユーザのプレゼンス登録有無問い合わせを受けた場合に、前記第１の登録手段を参照し回答する手段と、
前記電話交換機から前記着信側端末ユーザ対応の呼出音データの要求を受けた場合に、前記第１の登録手段に登録された前記着信側端末対応のプレゼンス番号を取得し、取得したプレゼンス番号対応の呼出音データ番号を前記第２の登録手段から取得し、取得した呼出音データ番号に対応した呼出音データを前記呼出音データベースから取得して前記電話交換機に送信する手段とを有する。
【００１５】
本発明の第２の呼出音管理装置は、電話交換機と着信側端末にネットワークを介して接続される呼出音管理装置であって、
前記着信側端末からアクセスがあったときに、利用可能なプレゼンスとプレゼンス番号とを対応付けたプレゼンス一覧と、プレゼンス，プレゼンス番号，プレゼンス対応呼出音の種類，呼出音データ番号を対応付けたプレゼンス対応呼出音一覧とを前記着信側端末に送信する手段と、
前記着信側端末から送信されたプレゼンス番号，前記着信側端末の電話番号を対応付けて登録する第１の登録手段と、
前記着信側端末から送信されたプレゼンス対応呼出音の呼出音データ番号，プレゼンス番号，前記着信側端末の電話番号を対応付けて登録する第２の登録手段と、
前記プレゼンス番号または前記呼出音データ番号が登録された場合に、前記第１の登録手段に登録された前記着信側端末対応のプレゼンス番号を取得し、取得したプレゼンス番号対応の呼出音データ番号を前記第２の登録手段から取得し、取得した呼出音データ番号を前記着信側端末の電話番号と対応付けて登録する第３の登録手段と、
呼出音データを呼出音データ番号に対応付けて予め登録した呼出音データベースと、
前記電話交換機から前記着信側端末ユーザのプレゼンス登録有無問い合わせを受けた場合に、前記第１の登録手段を参照し回答する手段と、
前記電話交換機から前記着信側端末ユーザ対応の呼出音データの要求を受けた場合に、前記第３の登録手段から呼出音データ番号を取得し、取得した呼出音データ番号に対応した呼出音データを前記呼出音データベースから取得して前記電話交換機に送信する手段とを有する。
【００１６】
本発明の第３の呼出音管理装置は、電話交換機と着信側端末にネットワークを介して接続される呼出音管理装置であって、
前記着信側端末から送信された呼出音データ番号と電話番号とを対応付けて登録する登録手段と、
呼出音データを呼出音データ番号に対応付けて予め登録した呼出音データベースと、
前記電話交換機から前記着信側端末ユーザの呼出音登録有無問い合わせを受けた場合に、前記登録手段を参照し回答する手段と、
前記電話交換機から前記着信側端末ユーザ対応の呼出音データの要求を受けた場合に、前記登録手段から呼出音データ番号を取得し、取得した呼出音データ番号に対応した呼出音データを前記呼出音データベースから取得して前記電話交換機に送信する手段とを有する。
【００１７】
本発明の第１のプレゼンス情報に応じた呼出音提供方法は、発信側端末と、着信側端末と、電話交換機と、呼出音管理装置と、前記呼出音管理装置と前記電話交換機，前記着信側端末とを接続するネットワークと、を用いたプレゼンス情報に応じた呼出音提供方法であって、
前記着信側端末がユーザから設定されたプレゼンスとプレゼンス毎のプレゼンス対応呼出音とを前記呼出音管理装置に送信し登録要求するステップと、前記呼出音管理装置が前記着信側端末から受信したプレゼンスとプレゼンス対応呼出音を登録するステップと、前記発信側端末から前記着信側端末への発呼時に、前記電話交換機が前記着信側ユーザのプレゼンス対応の呼出音データを前記呼出音管理装置に要求するステップと、前記呼出音管理装置が前記電話交換機からの要求を受けて前記着信側ユーザのプレゼンスに対応する呼出音を検索，取得するステップと、前記呼出音管理装置が取得した呼出音の呼出音データをデータベースから取得して前記電話交換機に送信するステップと、前記電話交換機が受信した呼出音データを前記発信側端末に送信するステップとを有する。
【００１８】
本発明の第２のプレゼンス情報に応じた呼出音提供方法は、発信側端末と、着信側端末と、電話交換機と、呼出音管理装置と、前記呼出音管理装置と前記電話交換機，前記着信側端末とを接続するネットワークと、を用いたプレゼンス情報に応じた呼出音提供方法であって、
前記着信側端末がユーザから設定されたプレゼンスとプレゼンス毎のプレゼンス対応呼出音とを前記呼出音管理装置に送信し登録要求するステップと、前記呼出音管理装置が前記着信側端末から受信したプレゼンスとプレゼンス対応呼出音を第１の記憶部に登録するステップと、前記第１の記憶部への登録が終了したときに、前記第１の記憶部を参照し登録されたプレゼンスに対応するプレゼンス対応呼出音を検索，取得し、取得したプレゼンス対応呼出音を前記着信側端末に対応付けて第２の記憶部に登録するステップと、前記発信側端末から前記着信側端末への発呼時に、前記電話交換機が前記着信側ユーザのプレゼンス対応の呼出音データを前記呼出音管理装置に要求するステップと、前記呼出音管理装置が前記電話交換機から要求を受けて前記着信側ユーザのプレゼンスに対応する呼出音を前記第２の記憶部から取得するステップと、取得した呼出音の呼出音データを前記呼出音管理装置がデータベースから取得して前記電話交換機に送信するステップと、前記電話交換機が受信した呼出音データを前記発信側端末に送信するステップとを有する。
【００１９】
本発明の第３のプレゼンス情報に応じた呼出音提供方法は、発信側端末と、着信側端末と、電話交換機と、呼出音管理装置と、前記呼出音管理装置と前記電話交換機，前記着信側端末と、を接続するネットワークとを用いたプレゼンス情報に応じた呼出音提供方法であって、
前記着信側端末がユーザから設定されたプレゼンスとプレゼンス毎のプレゼンス対応呼出音とを記憶するステップと、前記設定，記憶が終了したときに、前記着信側端末が記憶されたプレゼンスに対応するプレゼンス対応呼出音を検索，取得するステップと、取得したプレゼンス対応呼出音を前記着信側端末が前記呼出音管理装置に送信して登録要求するステップと、前記呼出音管理装置が前記着信側端末から受信した呼出音を登録するステップと、前記発信側端末から前記着信側端末への発呼時に、前記電話交換機が前記着信側ユーザのプレゼンス対応の呼出音データを前記呼出音管理装置に要求するステップと、前記呼出音管理装置が前記電話交換機からの要求を受けて前記着信側ユーザのプレゼンス対応に登録された呼出音を取得するステップと、前記呼出音管理装置が取得した呼出音の呼出音データをデータベースから取得して前記電話交換機に送信するステップと、前記電話交換機が受信した呼出音データを前記発信側端末に送信するステップとを有する。
【００２０】
本発明の第１のプログラムは、プレゼンスとプレゼンス番号とを対応付けたプレゼンス一覧と、プレゼンス，プレゼンス番号，プレゼンス対応呼出音の種類，呼出音データ番号を対応付けたプレゼンス対応呼出音一覧とを予め登録する第１の登録機能、ユーザが呼出音登録起動操作を行ったときに、前記プレゼンス一覧と前記プレゼンス対応呼出音一覧とを前記第１の登録手段から読み出して表示する機能、ユーザから選択されたプレゼンスのプレゼンス番号を登録する第２の登録機能、ユーザからプレゼンス毎に選択された呼出音の呼出音データ番号をプレゼンス番号に対応付けて登録する第３の登録機能、前記プレゼンス番号または前記呼出音データ番号が登録された場合に、前記第２の登録機能からプレゼンス番号を取得し、取得したプレゼンス番号対応の呼出音データ番号を前記第３の登録機能から取得し、取得した呼出音データ番号に電話番号を付加して外部装置に送信する機能、をコンピュータに実現させる。
【００２１】
本発明の第２のプログラムは、外部端末からアクセスがあったときに、利用可能なプレゼンスとプレゼンス番号とを対応付けたプレゼンス一覧と、プレゼンス，プレゼンス番号，プレゼンス対応呼出音の種類，呼出音データ番号を対応付けたプレゼンス対応呼出音一覧とを前記外部端末に送信する機能、前記外部端末から送信されたプレゼンス番号，電話番号を対応付けて登録する第１の登録機能、前記外部端末から送信されたプレゼンス対応呼出音の呼出音データ番号，プレゼンス番号，前記外部端末の電話番号を対応付けて登録する第２の登録機能、外部装置から前記外部端末ユーザのプレゼンス登録有無問い合わせを受けた場合に、前記第１の登録機能を参照し回答する機能、前記外部装置から前記外部端末ユーザ対応の呼出音データの要求を受けた場合に、前記第１の登録機能からプレゼンス番号を取得し、取得したプレゼンス番号対応の呼出音データ番号を前記第２の登録機能から取得し、取得した呼出音データ番号に対応した呼出音データをデータベースから取得して前記外部装置に送信する機能、をコンピュータに実現させる。
【００２２】
本発明の第３のプログラムは、外部端末からアクセスがあったときに、利用可能なプレゼンスとプレゼンス番号とを対応付けたプレゼンス一覧と、プレゼンス，プレゼンス番号，プレゼンス対応呼出音の種類，呼出音データ番号を対応付けたプレゼンス対応呼出音一覧とを前記外部端末に送信する機能、前記外部端末から送信されたプレゼンス番号，電話番号を対応付けて登録する第１の登録機能、前記外部端末から送信されたプレゼンス対応呼出音の呼出音データ番号，プレゼンス番号，前記外部端末の電話番号を対応付けて登録する第２の登録機能、前記第１の登録機能から前記外部端末電話番号対応のプレゼンス番号を取得し、取得したプレゼンス番号対応の呼出音データ番号を前記第２の登録機能から取得し、取得した呼出音データ番号を前記外部端末の電話番号と対応付けて登録する第３の登録機能、外部装置から前記外部端末ユーザのプレゼンス登録有無問い合わせを受けた場合に、前記第１の登録機能を参照し回答する機能、前記外部装置から前記外部端末ユーザ対応の呼出音データの要求を受けた場合に、前記第３の登録機能から呼出音データ番号を取得し、取得した呼出音データ番号に対応した呼出音データをデータベースから取得して前記外部装置に送信する機能、をコンピュータに実現させる。
【００２３】
本発明の第４のプログラムは、外部端末から送信された呼出音データ番号と電話番号とを対応付けて登録する登録機能、外部装置から前記外部端末ユーザの呼出音登録有無問い合わせを受けた場合に、前記登録機能を参照し回答する機能、前記外部装置から前記外部端末ユーザ対応の呼出音データの要求を受けた場合に、前記登録機能から呼出音データ番号を取得し、取得した呼出音データ番号に対応した呼出音データをデータベースから取得して前記外部装置に送信する機能、をコンピュータに実現させる。
【発明の効果】
【００２４】
本発明は、着信側ユーザが呼出音管理装置に自分のプレゼンスに対応する呼出音を予め登録しておき、着信側ユーザへの着信時に、電話交換機が登録された呼出音を発信側端末に送信するようにした。この呼出音は着信側ユーザの現在のプレゼンスに対応した呼出音であるため、発信者は相手応答前に相手のプレゼンスを知ることができるという効果がある。この結果、着信側ユーザが睡眠中等で電話に出られない場合等でも、発信者は着信側ユーザが睡眠中であるというプレゼンスが分かるため、後で電話をかけ直す等の対処が可能になる。
【発明を実施するための最良の形態】
【００２５】
本発明を実施するための最良の形態について図面を参照して詳細に説明する。
【００２６】
図１は本発明の第１の実施の形態の構成を示す図であり、着信側端末１と、発信側端末２と、呼出音管理装置３と、電話交換機４と、ネットワーク１００と、ネットワーク２００とを備えている。
【００２７】
着信側端末１および発信側端末２は、固定電話機、携帯電話機、ＰＨＳ（Personal Handyphone System）、電話機能を備えたパーソナルコンピュータ，ＰＤＡ（Personal Digital Assistance）等の電話端末である。これらの端末は、電話機能、インターネットアク
セス機能、テキストや画像の表示機能を備えている。なお、携帯電話機やＰＨＳの場合は、図示しない基地局を介して電話交換機４に接続されることになる。
【００２８】
呼出音管理装置３は、通信事業者や呼出音管理事業者等により設置されるワークステーション・サーバ等の情報処理装置であり、制御部３１と、記憶部３２とを備えている。制御部３１は、例えばＣＰＵ（Central Processing Unit）等の制御装置であり、プログラムにより動作を制御される。記憶部３２は、読み取り，書き込み可能な記憶装置であり、プレゼンスデータベース３２１と、プレゼンス対応呼出音データベース３２２と、呼出音データベース３２３とを含んでいる。プレゼンスデータベース３２１には、ユーザの電話番号とプレゼンス（電車内，睡眠中等のユーザの現在の状況）とプレゼンス番号とが対応付けられて登録される。プレゼンス対応呼出音データベース３２２には、ユーザにより予め登録されたユーザ毎のプレゼンス対応呼出音が格納されている。詳細には、図２（プレゼンス対応呼出音データベース３２２に格納されるデータの一例を示す図）に示すように、プレゼンス番号，プレゼンス，呼出音，呼出音データ番号等がユーザ電話番号毎に格納されている。なお、ここでいう呼出音とは呼出音データそのものではなく、選択時にどのような内容の呼出音かをユーザに提示するための、呼出音の名称，タイトル，種類といった類を指している。呼出音データベース３２３には、呼出音管理事業者が供給可能な呼出音の呼出音データ（音声，メロディ，テキスト，静止画像，動画像等のデータ）が呼出音データ番号毎に予め格納されている。例えば、図２の仕事中というプレゼンスに対応した「仕事中です」という音データや、睡眠中というプレゼンスに対応した「寝てます」の画像データ等が格納されている。なお、本発明における呼出音は、単に音だけに限定されず、上述したように、音声，メロディ，テキスト，静止画像，動画像等を含んでいる。
【００２９】
電話交換機４は、発信者が発信側端末２から着信側端末１に発呼したときに発信側端末２と着信側端末１とを接続し、着信側端末１に呼出信号を送信して呼び出すとともに、発信側端末２に呼出音を送信する機能を備えている。また、この電話交換機４は、ネットワーク１００を介して呼出音管理装置３とデータを送受信する機能を備えている。
【００３０】
ネットワーク１００は、通信事業者等により備えられたデータ通信可能なネットワークであり、電話交換機４と呼出音管理装置３とを接続する。ネットワーク２００は、例えばインターネット等のネットワークである。
【００３１】
次に、本発明の第１の実施の形態の動作について図１〜図３を参照して説明する。図３は、本発明の第１の実施の形態の動作を示すフローチャートである。
【００３２】
最初に、プレゼンスおよび呼出音の登録，更新時の動作について説明する。
【００３３】
図３を参照すると、まず、ユーザは着信側端末１から呼出音管理装置３がネットワーク２００上に開設している呼出音登録用ウェブサイトにアクセスする。なお、ここでは便宜上ユーザが着信側端末１からアクセスすることで説明するが、パーソナルコンピュータや他の端末を用いてアクセスしてもよい。着信側端末１から呼出音登録用ウェブサイトにアクセスがあると、呼出音管理装置３の制御部３１はメニュー画面を着信側端末１に送信する。メニュー画面には、例えば、「プレゼンスの登録，更新」、「プレゼンス対応呼出音の登録，更新」、等が含まれている。
【００３４】
ユーザが「プレゼンスの登録，更新」を選択すると、制御部３１はプレゼンスの一覧とユーザの電話番号入力欄、登録ボタン等が表示された画面を着信側端末１に送信する。プレゼンスの一覧には、「仕事中」、「睡眠中」、「電車内」等の、呼出音管理事業者が予め登録してあるプレゼンスが、それぞれのプレゼンス番号とともに含まれている。ユーザは、画面上で例えば「仕事中」というプレゼンスを選択し、着信側端末１の電話番号を入力する。そして、ユーザが登録ボタンを押下することにより、選択，入力された情報を着信側端末１が呼出音管理装置３に送信する。
【００３５】
呼出音管理装置３の制御部３１は、受信した「仕事中」というプレゼンスとプレゼンス番号とを、ユーザ電話番号と対応付けてプレゼンスデータベース３２１に登録，更新する。このとき、制御部３１は、ユーザ電話番号がプレゼンスデータベース３２１に登録されているかを検索し、登録されていなければ、新規登録として新たな記憶エリアにプレゼンス，プレゼンス番号，電話番号を格納する。ユーザ電話番号が登録されていた場合は、制御部３１は、その電話番号に対応して登録されているプレゼンスおよびプレゼンス番号を今回受信したものに書き換えることにより更新する。従って、ユーザとしては登録も更新も同じ操作となる。
【００３６】
次に、ユーザがメニュー画面上で「プレゼンス対応呼出音の登録，更新」を選択すると、制御部３１はプレゼンス毎の呼出音一覧とユーザの電話番号入力欄、登録ボタン等が表示された画面を着信側端末１に送信する。このプレゼンス毎の呼出音一覧には、呼出音管理事業者が各プレゼンスに対して予め登録してある、音声，メロディ，テキスト，画像等の呼出音が含まれている。また、この一覧の各プレゼンスや呼出音には、プレゼンス番号，呼出音データ番号がそれぞれ付加されている。ユーザは、画面上で自分が使用する各プレゼンス毎に呼出音を選択し、着信側端末１の電話番号を入力する。そして、ユーザが登録ボタンを押下することにより、選択，入力された情報を着信側端末１が呼出音管理装置３に送信する。
【００３７】
呼出音管理装置３の制御部３１は、受信した各プレゼンス対応の呼出音をプレゼンス対応呼出音データベース３２２に格納する。詳細には、図２に示すように、プレゼンス番号，プレゼンス，呼出音，呼出音データ番号等がユーザ電話番号毎に格納される。このとき、制御部３１は、ユーザ電話番号がプレゼンス対応呼出音データベース３２２に登録されているかを検索し、登録されていなければ、新規登録として新たな記憶エリアに電話番号，プレゼンス番号，プレゼンス，呼出音，呼出音データ番号等を登録する。ユーザ電話番号が登録されていた場合は、制御部３１は、その電話番号に対応して登録されているデータの内、今回受信したデータに対応する部分を書き換えることにより更新する。従って、ユーザとしては登録も更新も同じ操作となる。（ステップＡ１，Ａ２）。
【００３８】
以上、ステップＡ１，Ａ２によるプレゼンスや呼出音の登録，更新時の動作について説明した。
【００３９】
次に、呼出音管理装置３へのプレゼンスや呼出音の登録，更新が終了しているユーザの着信側端末１に、発信側端末２から電話をかけたときの動作について説明する。
【００４０】
図３を参照すると、発信者は、発信側端末２から電話交換機４に対して着信側端末１の電話番号をダイヤルして発呼する（ステップＢ１）。電話交換機４は、着信側端末１が話し中か否かを確認し、話し中であった場合には、発信側端末２に対して話中音を送信する（ステップＢ２→ステップＢ３）。
【００４１】
着信側端末１が話し中でなかった場合は、電話交換機４は着信側端末１に呼出信号を送信して着信側端末１を呼び出す（ステップＢ２→ステップＢ４）。また、電話交換機４は、呼出音管理装置３に着信側端末１の電話番号を送信し、プレゼンスが登録されているかを問い合わせる（ステップＢ２→ステップＢ５）。呼出音管理装置３の制御部３１は、受信した電話番号がプレゼンスデータベース３２１に登録されているかを検索し、検索結果を電話交換機４に回答する（ステップＢ６）。電話交換機４は、受信した検索結果が登録無しであった場合、電話交換機４に予め設定されている通常の呼出音を発信側端末２に送信する（ステップＢ７→ステップＢ８）。また、電話交換機４は、受信した検索結果が登録有りであった場合、登録されている呼出音データの取得を呼出音管理装置３に要求する（ステップＢ７→ステップＢ９）。
【００４２】
呼出音管理装置３の制御部３１は、まず、プレゼンスデータベース３２１から着信側端末１の電話番号に対応して登録されているプレゼンス番号を取得する（ステップＢ１０）。そして、制御部３１はプレゼンス対応呼出音データベース３２２を参照し、着信側端末１の電話番号とステップＢ１０で取得したプレゼンス番号とを基に、該当する呼出音データ番号を取得する（ステップＢ１１）。次に、制御部３１は、ステップＢ１１で取得したプレゼンス番号に対応して登録されている呼出音データを呼出音データベース３２３から取得し、電話交換機４に送信する（ステップＢ１２）。
【００４３】
電話交換機４は、呼出音管理装置３から受信した呼出音データを発信側端末２に送信する（ステップＢ１３）。発信側端末２は、受信した呼出音データ（音データ）により鳴音させるか、受信した呼出音データ（テキストデータ，画像データ）を図示しない表示部に表示する（ステップＢ１４）。これにより、発信者は、着信側端末１のユーザの現在の状況を着信側ユーザの応答前に把握することができる。
【００４４】
この後、着信側端末１のユーザが呼び出しに応答すると、着信側端末１は応答した旨を示すオフフック信号を電話交換機４に送信する（ステップＢ１５）。オフフック信号を受信した電話交換機４は、発信側端末２と着信側端末１を接続し（ステップＢ１６）、発信側端末２と着信側端末１は通話状態となる（ステップＢ１７）。
【００４５】
次に、具体的なプレゼンスや呼出音を用いて本実施の形態の動作を説明する。
【００４６】
まず、着信側ユーザは着信側端末１を用いてプレゼンスとプレゼンス対応呼出音を登録する。このとき、登録されたプレゼンスは「仕事中」であり、この「仕事中」に対応して登録された呼出音は「仕事中です（音声）」であったとする。この後、発信者が発信側端末２を用いて着信側端末１に電話をかけると、呼出音管理装置３はプレゼンスデータベース３２１を参照し、着信側端末１のユーザのプレゼンスとして「仕事中」を取得する。次に、呼出音管理装置３はプレゼンス対応呼出音データベース３２２を参照し、先ほど取得した「仕事中」に対応する呼出音を検索する。この場合、「仕事中」に対応する「仕事中です（音声）」を取得することができる。次に、呼出音管理装置３は呼出音データベース３２３を参照し、「仕事中です（音声）」の音データを取得する。最後に、呼出音管理装置３は「仕事中です（音声）」の音データを電話交換機４を介して発信側端末２に送信し、発信者は呼出音として「仕事中です」という音声を聞く。
【００４７】
なお、以上の実施の形態においてプレゼンスとプレゼンス対応呼出音の登録を一度行った後は、ユーザは自分のプレゼンスが変わる度にプレゼンスだけを更新していく、というのが通常の利用法として考えられる。しかし、プレゼンス対応呼出音を変更，更新することも勿論可能である。
【００４８】
本発明は、以上説明したように、ユーザが登録したプレゼンスに応じた呼出音を発信側端末に送信するようにしたため、発信者は着信側ユーザの応答前にユーザの現在の状況を認識できるという効果がある。
【００４９】
次に、本発明の第２の実施の形態について図面を参照して詳細に説明する。
【００５０】
図４は、本発明の第２の実施の形態の構成を示す図である。本実施の形態においては、図１の第１の実施の形態に比べて、新たにユーザ別呼出音データベース５２１が記憶部５２に追加されている。このユーザ別呼出音データベース５２１には、各ユーザの現在のプレゼンスに対応した呼出音データ番号と呼出音が、ユーザ電話番号毎に格納される。
【００５１】
次に、本実施の形態の動作について図３，図４および図５を参照して説明する。図５は、本発明の第２の実施の形態の動作を示すフローチャートである。なお、本実施の形態と第１の実施の形態の動作上の相違点は、
・図３のステップＡ１，Ａ２→図５のステップＣ１〜Ｃ４
・図３のステップＢ１０，Ｂ１１→図５のステップＤ１０
だけであるので、これらのステップについて説明する。
【００５２】
まず、図５のステップＣ１〜Ｃ４であるが、ステップＣ１，Ｃ２については、図３のステップＡ１，Ａ２に同じである。すなわち、図３に比べて図５ではステップＣ３，Ｃ４が追加されている。
【００５３】
図５を参照すると、ステップＣ１，Ｃ２により、図３のステップＡ１，Ａ２で説明したユーザのプレゼンス，プレゼンス対応呼出音の登録，更新が行われる。その後、呼出音管理装置５の制御部５１は、プレゼンスデータベース３２１を参照し、ユーザの電話番号に対応して登録されているプレゼンス番号を取得する。そして、制御部５１は、次にプレゼンス対応呼出音データベース３２２を検索し、ユーザの電話番号および取得したプレゼンス番号に対応して登録されている呼出音データ番号と呼出音を取得する（ステップＣ３）。その後、制御部５１は、ステップＣ３で取得した呼出音データ番号と呼出音を、ユーザ電話番号に対応付けてユーザ別呼出音データベース５２１に登録する。
【００５４】
次に、図５のステップＤ１０について説明する。
【００５５】
電話交換機４から呼出音データを要求された呼出音管理装置５の制御部５１は、ユーザ別呼出音データベース５２１を参照し、着信側端末１の電話番号に対応して登録されている呼出音データ番号を取得する（ステップＤ１０）。
【００５６】
以上説明したように、本実施の形態においては、ユーザからプレゼンス，呼出音の登録，更新がなされる度に、呼出音管理装置５がユーザの最新のプレゼンスに対応した呼出音をユーザ別呼出音データベース５２１に登録するようにした。
【００５７】
従って、呼出音管理装置３，５が電話交換機４から呼出音データの要求を受けたときに、第１の実施の形態と本実施の形態では下記に示すような動作上の違いがある。
・第１の実施の形態においては、
（１）ユーザのプレゼンスをプレゼンスデータベース３２１から検索して取得
（２）プレゼンスに対応する呼出音データ番号をプレゼンス対応呼出音データベース３２２から検索して取得
（３）呼出音データ番号に対応して登録されている呼出音データを呼出音データベース３２３から取得して電話交換機４に送信
という３段階の動作を行っていたのが、
・本実施の形態においては、
（１）着信側端末１の電話番号に対応して登録されている呼出音データ番号を、ユーザ別呼出音データベース５２１から取得
（２）呼出音データ番号に対応して登録されている呼出音データを呼出音データベース３２３から取得して電話交換機４に送信
という２段階の動作となる。
【００５８】
すなわち、第１の実施の形態における（１），（２）の動作を、本実施の形態における（１）の動作で代替している。このため、本実施の形態においては、呼出音管理装置５は、電話交換機４から要求された呼出音データを、より迅速に検索，取得できるという効果が得られる。
【００５９】
次に、本発明の第３の実施の形態について図面を参照して詳細に説明する。
【００６０】
上述した第１，第２の実施の形態においては、ユーザが呼出音登録用ウェブサイトにアクセスした後に、プレゼンスやプレゼンス対応呼出音を選択，登録していた。本実施の形態では、ユーザ自身が呼出音登録用ウェブサイトにアクセスすることなく、プレゼンスやプレゼンス対応呼出音の設定操作を着信側端末７またはパーソナルコンピュータ等で行うことを特徴としている。
【００６１】
図６は、本発明の第３の実施の形態の構成を示す図である。本実施の形態においては、図４（第２の実施の形態）のプレゼンスデータベース３２１，プレゼンス対応呼出音データベース３２２に相当するものが、図６の着信側端末７にプレゼンス記憶部７２，プレゼンス対応呼出音記憶部７３として備えられている。また、呼出音管理装置６の記憶部６２にはユーザ別呼出音データベース５２１と呼出音データベース３２３が備えられている。
【００６２】
次に、本実施の形態の動作について図５，図６および図７を参照して説明する。図７は、本発明の第３の実施の形態の動作を示すフローチャートである。なお、本実施の形態と第２の実施の形態の動作上の相違点は、
・図５のステップＣ１〜Ｃ４→図７のステップＥ１〜Ｅ５
・図５のステップＤ５，Ｄ６（図３のステップＢ５，Ｂ６に同じ）→図７のステップＦ５，Ｆ６
だけであるので、これらのステップについて説明する。
【００６３】
図７のステップＥ１〜Ｅ５の動作を説明する前に、まず、準備事項について説明する。ユーザは、呼出音管理事業者との呼出音登録契約に基づき、着信側端末７に呼出音管理装置６から呼出音登録プログラムをダウンロードする。また、呼出音管理装置６が提供可能なプレゼンスの種類，プレゼンス番号，プレゼンス対応呼出音，呼出音データ番号等も、着信側端末７にダウンロードしておく。着信側端末７の制御部７１は呼出音登録プログラムにより動作を制御される。プレゼンスの種類，プレゼンス番号を含むプレゼンス一覧情報と，プレゼンス対応呼出音，呼出音データ番号を含むプレゼンス対応呼出音一覧情報は、制御部７１により図示しない記憶部に格納される。
【００６４】
以上の準備が終了した後の、呼出音登録，更新処理について説明する。
【００６５】
図７を参照すると、ユーザは、着信側端末７において呼出音登録プログラムを起動する。着信側端末７の制御部７１は、図示しない記憶部から読み出したプレゼンス一覧情報とプレゼンス対応呼出音一覧情報を、それぞれ図示しない表示部に表示する。ユーザは、図示しない入力手段（例えば、ポインティングデバイスやキー等）により、表示画面上でプレゼンスやプレゼンス対応呼出音を選択する。制御部７１は、ユーザのプレゼンス選択に基づき、プレゼンスとプレゼンス番号をプレゼンス記憶部７２に格納する。また、ユーザのプレゼンス対応呼出音選択に基づき、制御部７１は、プレゼンス，プレゼンス番号毎に選択された呼出音，呼出音データ番号をプレゼンス記憶部７２に格納する。なお、一度登録した後の変更，更新時においては、制御部７１は、プレゼンス記憶部７２やプレゼンス対応呼出音記憶部７３の変更された部分のみを書き換える（ステップＥ１）。
【００６６】
プレゼンス記憶部７２やプレゼンス対応呼出音記憶部７３へのプレゼンスやプレゼンス対応呼出音の格納が終了すると、制御部７１は、まず、プレゼンス記憶部７２からプレゼンス番号を取得する（ステップＥ２）。次に、制御部７１は、プレゼンス対応呼出音記憶部７３を参照し、ステップＥ２で取得したプレゼンス番号に対応して登録された呼出音データ番号を取得する（ステップＥ３）。そして、制御部７１は、ステップＥ３で取得した呼出音データ番号に、図示しない記憶部に予め登録された自端末の電話番号を付加し、呼出音管理装置６に送信し登録を要求する。なお、呼出音管理装置６の送信先アドレスについては、呼出音登録プログラムに含めておくか、図示しない記憶部に予め登録しておく（ステップＥ４）。
【００６７】
呼出音管理装置６の制御部６１は、受信した呼出音データ番号と電話番号とを対応付けて、ユーザ別呼出音データベース５２１に登録する（ステップＥ５）。
【００６８】
次に、図７のステップＦ５，Ｆ６について説明する。
【００６９】
第２の実施の形態（図５のステップＤ５，Ｄ６）においては、
・電話交換機４は、呼出音管理装置５に着信側端末１の電話番号を送信し、プレゼンスが登録されているかを問い合わせ（ステップＤ５）、
・呼出音管理装置５の制御部５１は、受信した電話番号がプレゼンスデータベース３２１に登録されているかを検索し、検索結果を電話交換機４に回答する（ステップＤ６）
として説明した。なお、図５のステップＤ５，Ｄ６は、第１の実施の形態（図３）のステップＢ５，Ｂ６と同じである。
【００７０】
本実施の形態においては、プレゼンスが登録されているかを確認する代わりに、呼出音登録がされているかを確認することになる。
【００７１】
すなわち、電話交換機４は、呼出音管理装置６に着信側端末７の電話番号を送信し、呼出音登録がされているかを問い合わせる（ステップＦ５）。
【００７２】
呼出音管理装置６の制御部６１は、受信した電話番号がユーザ別呼出音データベース５２１に登録されているかを検索し、検索結果を電話交換機４に回答する（ステップＦ６）。
【００７３】
なお、第２の実施の形態においても、図５のステップＤ５，Ｄ６の代わりに、上述したステップＦ５，Ｆ６の動作としてもよい。
【００７４】
以上説明したように、本実施の形態においては、ユーザが着信側端末７においてプレゼンスやプレゼンス対応呼出音を設定するだけで、着信側端末７が自動的に呼出音管理装置６に呼出音を登録することができる。従って、ユーザが呼出音管理装置６や呼出音登録用ウェブサイトにアクセスする必要がなくなるため、ユーザにとって呼出音の登録，更新操作が簡易化されるという効果がある。
【００７５】
なお、以上説明した第１および第２の実施の形態においては、呼出音登録用ウェブサイトにアクセスしてプレゼンスやプレゼンス対応呼出音を登録，更新するとして説明した。この他の登録，更新方法として、例えば、着信側端末１から呼出音管理装置３，５に電話をかけ、電話回線を介して登録，更新する方法がある。この場合は、呼出音管理装置３，５に音声応答装置を備え、音声メッセージでガイドして着信側端末１のボタン操作によりプレゼンスやプレゼンス対応呼出音を選択する。この方法によれば、着信側端末１は既存の電話機能を備えているだけでよいため、通常の電話端末を利用できるという効果がある。
【図面の簡単な説明】
【００７６】
【図１】本発明の第１の実施の形態の構成を示す図である。
【図２】プレゼンス対応呼出音データベース３２２に格納されるデータの一例を示す図である。
【図３】本発明の第１の実施の形態の動作を示すフローチャートである。
【図４】本発明の第２の実施の形態の構成を示す図である。
【図５】本発明の第２の実施の形態の動作を示すフローチャートである。
【図６】本発明の第３の実施の形態の構成を示す図である。
【図７】本発明の第３の実施の形態の動作を示すフローチャートである。
【符号の説明】
【００７７】
１，７    着信側端末
７２    プレゼンス記憶部
７３    プレゼンス対応呼出音記憶部
２    発信側端末
３，５，６    呼出音管理装置
３１，５１，６１，７１    制御部
３２，５２，６２    記憶部
３２１    プレゼンスデータベース
３２２    プレゼンス対応呼出音データベース
３２３    呼出音データベース
５２１    ユーザ別呼出音データベース
４    電話交換機
１００，２００    ネットワーク
【図１】
2005277450.tif 000003
【図２】
2005277450.tif 000004
【図３】
2005277450.tif 000005
【図４】
2005277450.tif 000006
【図５】
2005277450.tif 000007
【図６】
2005277450.tif 000008
【図７】
2005277450.tif 000009